(57)【特許請求の範囲】
【請求項１】
本体に開閉自在に取り付けられた表示パネルを有するカメラ一体型ビデオテープレコーダにおいて、
上記表示パネルの開閉状態に応じて、上記表示パネルへの電源の切換えを制御し、
上記表示パネルの開閉状態及び上記表示パネルの回転角に応じて、ビユーフアインダへの電源及び又は音声出力部への電源の切換えを制御し、
上記表示パネルが開状態でかつ所定角度回転されたとき、上記表示パネルに表示される映像が上下逆となるように表示する表示モードの切換えを制御する制御手段
を具えることを特徴とするカメラ一体型ビデオテープレコーダ。
【発明の詳細な説明】
【０００１】
【目次】
以下の順序で本発明を説明する。
産業上の利用分野
従来の技術（図７）
発明が解決しようとする課題（図７）
課題を解決するための手段
作用
実施例（図１〜図６）
発明の効果
【０００２】
【産業上の利用分野】
本発明は表示装置及びカメラ一体型ビデオテープレコーダ（以下、カメラ一体型ＶＴＲと呼ぶ）に関し、例えば本体に開閉自在に液晶パネルが取り付けられているカメラ一体型ＶＴＲに適用し得る。
【０００３】
【従来の技術】
従来、この種のカメラ一体型ビデオテープレコーダにおいては、撮影現場等に携帯して被写体の画像を記録することができ、携帯者はビユーフアインダを覗き又は液晶パネルを見て撮影画像を確認する。また一旦記録した撮影画像についてもビユーフアインダ又は液晶パネルによつて確認することができる。
【０００４】
図７に示すように、このカメラ一体型ＶＴＲ１でのカメラ撮りの使用状況としては、ビユーフアインダ２を覗いて被写体を撮影する場合（図７（Ａ））と、液晶パネル３を開いた状態（ビユーフアインダ２はオフ）で、液晶パネル３を見て被写体を撮影する場合（図７（Ｂ））と、液晶パネル３を開き当該液晶パネル３を反転させ（ビユーフアインダ２はオン）、ビユーフアインダ２を覗いて被写体を撮影するいわゆる対面撮影（図７（Ｃ））とがある。
【０００５】
この対面撮影では、液晶パネル３を図７（Ｂ）に示すような状態のまま単に反転させただけでは、液晶パネル３が図７（Ｂ）に示すような状態のときに表示部４に表示する被写体の映像が上下逆になつた状態で表示部４に表示されるので、液晶パネル３を反転させても上下逆にならないような処理をして表示部４に表示させる表示モードがあり、この表示モードをミラーモードと言う。従つてミラーモードをオンすることにより、液晶パネル３を反転させたときに表示部４に表示される被写体の映像は、あたかも表示部４が鏡であるかのように表示部４に表示される。
【０００６】
ここで液晶パネル３が開いた状態とは、図７（Ｂ）に示すように、カメラ一体型ＶＴＲ１本体と液晶パネル３との接続部を軸に、液晶パネル３の表示部４の表面がビユーフアインダ２側に向き、かつカメラ一体型ＶＴＲ１の本体にほぼ垂直となる方向に回転させた状態を言う。また液晶パネル３の反転とは、図７（Ｃ）に示すように、液晶パネル３を開いた状態で液晶パネル３を、液晶パネル３の上下が逆になる方向に回転させて表示部４をビユーフアインダ２と正反対の方向に向けることである。
【０００７】
【発明が解決しようとする課題】
ところで液晶パネル３を用いる際に、液晶パネル３の電源を切り換える液晶パネル用のスイツチは、カメラ一体型ＶＴＲ１本体の表面に取り付けられている（図示せず）。従つてユーザは、図７（Ｂ）及び図７（Ｃ）のように液晶パネル３を用いる場合には、この液晶パネル用スイツチをオンに切り換える必要がある。またカメラ一体型ＶＴＲ１の電源モードとしてＶＴＲモードを選択した場合も同様である。
【０００８】
ところがユーザは上述のように液晶パネル３の開閉状態に応じて、その都度液晶パネル３用のスイツチによつて液晶パネル３の電源を切り換えて液晶パネル３の表示部４に画像を表示し又は画像の表示を停止させなければならず、カメラ一体型ＶＴＲとして使い勝手が良くないという問題があつた。
また液晶パネル３の電源が入力状態のまま液晶パネル３を閉めてしまうおそれがあり、無駄な電力を消費するおそれがあつた。
【０００９】
本発明は以上の点を考慮してなされたもので、液晶パネルの開閉状態に応じて液晶パネルに画像を表示し又は画像の表示を停止させることができる表示装置及びカメラ一体型ビデオテープレコーダを提案しようとするものである。
【００１０】
【課題を解決するための手段】
かかる課題を解決するため本発明においては、本体に開閉自在に取り付けられた表示パネルを有するカメラ一体型ビデオテープレコーダにおいて、表示パネルの開閉状態に応じて当該表示パネルへの電源の切換えを制御し、表示パネルの開閉状態及び表示パネルの回転角に応じてビユーフアインダへの電源及び又は音声出力部への電源の切換えを制御し、表示パネルが開状態でかつ所定角度回転されたとき、表示パネルに表示される映像が上下逆となるように表示する表示モードの切換えを制御する制御手段とを設けるようにする。
【００１２】
【作用】
本発明によれば、かかる制御手段を設けることにより表示パネル、ビユーフアインダ及び音声出力部に自動的に電源を投入することができると共に電力の無駄な消費を回避でき、かつ表示パネルに反転映像を表示することができ、かくして使い勝手を向上することができる。
【００１３】
本体に開閉自在に取り付けられた表示パネルを有するカメラ一体型ビデオテープレコーダに、表示パネルの開閉状態に応じて当該表示パネルに画像を表示し又は画像の表示を停止させる制御手段を設ける。これにより、表示パネルの電源の切換えを自動的に制御し得る。
【００１４】
【実施例】
以下図面について、本発明の一実施例を詳述する。
【００１５】
本発明の実施例によるカメラ一体型ビデオテープレコーダの概略構成を図１に示す。このカメラ一体型ビデオテープレコーダ１０では、ビユーフアインダ１１又は本体側面に開閉自在に取り付けられた表示パネルとしての液晶パネル１２によつて記録中の映像信号及び記録済みの映像信号を確認することができる。
このカメラ一体型ＶＴＲ１０においては、液晶パネル１２の開閉状態及び回転角（以下反転状態と言う）に応じてビユーフアインダ１１、液晶パネル１２、音声出力部としてのスピーカ（図示せず）の電源及びミラーモードの切換えを自動的に制御している。ここでこの実施例の場合、液晶パネル１２の回転角は  １８０°に設定されている。
【００１６】
すなわちこのカメラ一体型ＶＴＲ１０の使用状況としては、カメラモード及びＶＴＲモードそれぞれにおいて、液晶パネル１２の開閉状態によつて４つの形態がある。第１に、液晶パネル１２を閉じた状態で使用する場合（図２（Ａ））、第２に、液晶パネル１２を開いた状態で使用する場合（図２（Ｂ））、第３に、液晶パネル１２を開き、かつ反転させて（液晶パネル１２を  １８０°回転させた状態、以下同じ）液晶パネル１２の表示部１３を被写体側に向けた状態（対面撮影）で使用する場合（図２（Ｃ））、第４に、液晶パネル１２を反転させて閉じた状態で使用する場合（図２（Ｄ））がある。
【００１７】
カメラ一体型ＶＴＲ１０の概略的な回路構成を図３に示す。カメラ一体型ＶＴＲ１０では、ビユーフアインダ１１、液晶パネル１２、スピーカ１４の電源及び表示モードとしてのミラーモードの切換えは上述の液晶パネル１２の開閉状態及び回転角に応じて制御手段としてのマイクロコンピータ（以下単にマイコンと呼ぶ）１５が自動的に制御している。
【００１８】
ここでビユーフアインダ１１、液晶パネル１２の電源の切換えとは、ビユーフアインダ１１、液晶パネル１２に画像を表示し又は画像の表示を停止させることの切換えを言い、スピーカ１４の電源の切換えとは、スピーカ１４から音声を出力し又は音声の出力を停止させることの切換えを言い、ミラーモードの切換えとは、液晶パネル１２に表示させる映像を上下逆にして表示するか否かの切換えを言う。
【００１９】
スイツチ１６は電源モードとしてカメラモード又はＶＴＲモードを選択するためのスライド式スイツチであり、カメラ一体型ＶＴＲ１０本体の表面に設けられている。このスイツチ１６をＶＴＲモード又はカメラモードに設定すると、マイコン１５にＶＴＲ駆動信号Ｓ１  又はカメラ駆動信号Ｓ２  が送出される。マイコン１５は入力されるＶＴＲ駆動信号Ｓ１  又はカメラ駆動信号Ｓ２  に基づいてカメラ一体型ＶＴＲ１０のカメラ機能又はＶＴＲ機能を作動させる。
【００２０】
スイツチ１７は液晶パネル１２の開閉状態によつてオンオフがメカニカル（機械的）に切り換わるスイツチであり、液晶パネル１２が開いている状態のときオンし、閉じている状態のときオフする。またスイツチ１８は液晶パネル１２の反転状態によつてオンオフがメカニカルに切り換わるスイツチであり、液晶パネル１２が反転しているときオンし、反転していないときオフする。
【００２１】
ここでカメラ一体型ＶＴＲ１０において、液晶パネル１２の開閉状態及び回転角（反転又は非反転）によつて、ビユーフアインダ１１、液晶パネル１２、スピーカ１４の電源及びミラーモードの切換えがどのように設定されるかをカメラモード及びＶＴＲモードに分けて説明する。
【００２２】
まずスイツチ１６をカメラモードに設定した場合について説明する。液晶パネル１２が開いた状態でかつ反転していない場合（図２（Ｂ））、スイツチ１７はオン、スイツチ１８はオフし、マイコン１５にカメラ駆動信号Ｓ２  及びパネル駆動信号Ｓ３  が入力される。これにより、マイコン１５はカメラ機能を作動させると共に、液晶パネル１２にパネル駆動信号Ｓ３  を出力して液晶パネル１２の電源をオンする。従つて図４に示すように、液晶パネル１２が開いた状態でかつ反転していない場合、液晶パネル１２の電源だけがオンし、ビユーフアインダ１１、スピーカ１４の電源及びミラーモードはオフする。
【００２３】
次に液晶パネル１２が開いた状態でかつ反転している場合（図２（Ｃ））、スイツチ１７及び１８はオンし、マイコン１５にカメラ駆動信号Ｓ２  、パネル駆動信号Ｓ３  及びパネル反転信号Ｓ４  が入力される。これにより、マイコン１５はカメラ機能を作動させると共に、液晶パネル１２にパネル駆動信号Ｓ３  及びミラーモード切換え信号Ｓ５  を出力して液晶パネル１２の電源及びミラーモードをオンし、ビユーフアインダ１１にビユーフアインダ駆動信号Ｓ６  を出力してビユーフアインダ１１の電源をオンする。従つて図４に示すように、液晶パネル１２が開いた状態でかつ反転している場合、ビユーフアインダ１１、液晶パネル１２の電源及びミラーモードがオンし、スピーカ１４の電源はオフする。
【００２４】
液晶パネル１２が閉じた状態でかつ反転していない場合（図２（Ａ））、スイツチ１７及び１８はオフし、マイコン１５にカメラ駆動信号Ｓ２  が入力される。これにより、マイコン１５はカメラ機能を作動させると共に、ビユーフアインダ１１にビユーフアインダ駆動信号Ｓ６  を出力してビユーフアインダ１１の電源をオンする。従つて図４に示すように、液晶パネル１２が閉じた状態でかつ反転していない場合、ビユーフアインダ１１の電源だけがオンし、液晶パネル１２、スピーカ１４の電源及びミラーモードはオフする。
【００２５】
液晶パネル１２が閉じた状態でかつ反転している場合（図２（Ｄ））、スイツチ１７はオフ、スイツチ１８はオンし、マイコン１５にカメラ駆動信号Ｓ２  及びパネル反転信号Ｓ４  が入力される。これにより、マイコン１５はカメラ機能を作動させると共に、ビユーフアインダ１１にビユーフアインダ駆動信号Ｓ６  を出力してビユーフアインダ１１の電源をオンし、液晶パネル１２にミラーモード切換え信号Ｓ５  を出力して液晶パネル１２の電源及びミラーモードをオンする。従つて図４に示すように、液晶パネル１２が閉じた状態でかつ反転している場合、ビユーフアインダ１１、液晶パネル１２の電源及びミラーモードがオンし、スピーカ１４の電源はオフする。
【００２６】
次にスイツチ１６をＶＴＲモードに設定した場合について説明する。
液晶パネル１２が開いた状態でかつ反転していない場合（図２（Ｂ））、スイツチ１７はオン、スイツチ１８はオフし、マイコン１５にＶＴＲ駆動信号Ｓ１  及びパネル駆動信号Ｓ３  が入力される。これにより、マイコン１５はＶＴＲ機能を作動させると共に、液晶パネル１２にパネル駆動信号Ｓ３  を出力して液晶パネル１２の電源をオンし、スピーカ１４に音声出力信号Ｓ７  を出力してスピーカ１４の電源をオンする。従つて図４に示すように、液晶パネル１２が開いた状態でかつ反転していない場合、液晶パネル１２及びスピーカ１４の電源がオンし、ビユーフアインダ１１の電源及びミラーモードはオフする。
【００２７】
ここで図３に示すように、マイコン１５からの音声出力信号Ｓ７  は音声処理部１９に出力され、音声処理部１９では、この音声出力信号Ｓ７  に基づいて、入力される音声信号を処理してスピーカ１４より音声として出力する（以下同じ）。
【００２８】
液晶パネル１２が開いた状態でかつ反転している場合（図２（Ｃ））、スイツチ１７及び１８はオンし、マイコン１５にＶＴＲ駆動信号Ｓ１  、パネル駆動信号Ｓ３  及びパネル反転信号Ｓ４  が入力される。これにより、マイコン１５はＶＴＲ機能を作動させると共に、液晶パネル１２にパネル駆動信号Ｓ３  を出力して液晶パネル１２の電源をオンし、ビユーフアインダ１１にビユーフアインダ駆動信号Ｓ６  を出力してビユーフアインダ１１の電源をオンし、スピーカ１４に音声出力信号Ｓ７  を出力してスピーカ１４の電源をオンする。従つて図４に示すように、液晶パネル１２が開いた状態でかつ反転している場合、ビユーフアインダ１１、液晶パネル１２及びスピーカ１４の電源がオンし、ミラーモードはオフする。
【００２９】
液晶パネル１２が閉じた状態でかつ反転していない場合（図２（Ａ））、スイツチ１７及び１８はオフし、マイコン１５にＶＴＲ駆動信号Ｓ１  が入力される。これにより、マイコン１５はＶＴＲ機能を作動させると共に、ビユーフアインダ１１にビユーフアインダ駆動信号Ｓ６  を出力してビユーフアインダ１１の電源をオンする。従つて図４に示すように、液晶パネル１２が閉じた状態でかつ反転していない場合、ビユーフアインダ１１の電源だけがオンし、液晶パネル１２、スピーカ１４の電源及びミラーモードはオフする。
【００３０】
液晶パネル１２が閉じた状態でかつ反転している場合（図２（Ｄ））、スイツチ１７はオフ、スイツチ１８はオンし、マイコン１５にＶＴＲ駆動信号Ｓ１  及びパネル反転信号Ｓ４  が入力される。これにより、マイコン１５はＶＴＲ機能を作動させると共に、ビユーフアインダ１１にビユーフアインダ駆動信号Ｓ６  を出力してビユーフアインダ１１の電源をオンし、液晶パネル１２にパネル駆動信号Ｓ３  を出力して液晶パネル１２の電源をオンし、スピーカ１８に音声制御信号Ｓ７  を出力してスピーカ１４の電源をオンする。従つて図４に示すように、液晶パネル１２が閉じた状態でかつ反転している場合、ビユーフアインダ１１、液晶パネル１２及びスピーカ１４の電源はオンし、ミラーモードはオフする。
【００３１】
以下、マイコン１５の動作を図５及び図６のフローチヤートを用いて説明する。
まず図５において、ステツプＳＰ１より開始して、ステツプＳＰ２において、マイコン１５は電源モードがカメラモードに設定されているのかＶＴＲモードに設定されているのかを判定する。カメラモードに設定されていると判定した場合、マイコン１５はステツプＳＰ３に進み、液晶パネル１２が開いた状態か閉じた状態かを判定する。
【００３２】
液晶パネル１２が開いた状態にあると判定した場合、マイコン１５はステツプ４に進み、液晶パネル１２が反転しているか否かを判定する。液晶パネル１２が反転していないと判定した場合、マイコン１５はステツプＳＰ５に進み、液晶パネル１２の電源だけをオンする。ステツプＳＰ４において液晶パネル１２が反転していると判定した場合、マイコン１５はステツプＳＰ６に進み、ビユーフアインダ１１、液晶パネル１２の電源及びミラーモードをオンする。
【００３３】
ステツプＳＰ３において、液晶パネル１２は閉じた状態であると判定した場合、マイコン１５はステツプＳＰ７に進み、液晶パネル１２が反転しているか否かを判定する。液晶パネル１２が反転していないと判定した場合、マイコン１５はステツプＳＰ８に進み、ビユーフアインダ１１だけをオンする。ステツプＳＰ７で液晶パネル１２が反転していると判定した場合には、ステツプＳＰ９に進み、マイコン１５はビユーフアインダ１１、液晶パネル１２の電源及びミラーモードをオンする。
【００３４】
他方、ステツプＳＰ２において、マイコン１５が電源モードはＶＴＲモードに設定されていると判定した場合、ステツプＳＰ１０（図６）に進み、マイコン１５は液晶パネル１２が開いた状態にあるか閉じた状態にあるかを判定する。液晶パネル１２が開いた状態にあると判定した場合、マイコン１５はステツプＳＰ１１に進み、液晶パネル１２が反転しているか否かを判定する。
【００３５】
液晶パネル１２は反転していないと判定した場合、マイコン１５はステツプＳＰ１２に進み、液晶パネル１２及びスピーカ１４の電源をオンに設定する。液晶パネル１２は反転していると判定した場合、マイコン１５はステツプＳＰ１３に進み、ビユーフアインダ１１、液晶パネル１２及びスピーカ１４の電源をオンする。
【００３６】
ステツプＳＰ１０において、マイコン１５が液晶パネル１２は閉じた状態にあると判定した場合、ステツプＳＰ１４に進み、液晶パネル１２が反転しているか否かを判定する。ステツプＳＰ１４で液晶パネル１２が反転していないと判定した場合、マイコン１５はステツプＳＰ１５に進み、ビユーフアインダ１１の電源だけをオンする。液晶パネル１２が反転していると判定した場合には、マイコン１５はステツプＳＰ１６に進み、ビユーフアインダ１１、液晶パネル１２及びスピーカ１４の電源をオンする。
【００３７】
マイコン１５は、それぞれステツプＳＰ５、ステツプＳＰ６、ステツプＳＰ８、ステツプＳＰ９、ステツプＳＰ１２、ステツプＳＰ１３、ステツプＳＰ１５、ステツプＳＰ１６において、ビユーフアインダ１１、液晶パネル１２、スピーカ１４の電源及びミラーモードの切換えを決定すると、ステツプＳＰ１７（図５）に進み、電源モード又は液晶パネル１２の開閉状態又は反転状態が変更されたか否かを判定する。肯定結果が得られると、マイコン１５はステツプＳＰ１に戻り上述のステツプを繰り返す。また否定結果が得られると、マイコン１５はステツプＳＰ１８において処理を終了する。
【００３８】
以上の構成において、カメラ一体型ＶＴＲ１０では、液晶パネル１２の開閉状態及び反転状態に応じてマイコン１５がビユーフアインダ１１、液晶パネル１２、スピーカ１４の電源及びミラーモードの切換えを制御している。
従つてカメラ一体型ＶＴＲ１０では、ビユーフアインダ１１、液晶パネル１２、スピーカ１４の電源及びミラーモードの切換えを液晶パネル１２の開閉状態及び反転状態に応じて自動的に切り換えることができる。
【００３９】
以上の構成によれば、ビユーフアインダ１１、液晶パネル１２、スピーカ１４の電源及びミラーモードの切換えを液晶パネル１２の開閉状態及び反転状態に応じて切り換えることができるので、ビユーフアインダ１１、液晶パネル１２、スピーカ１４の電源及びミラーモードの切換えを自動的に制御でき、かくしてカメラ一体型ＶＴＲ１０の使い勝手を格段的に向上させることができる。
また上述の構成によれば、ビユーフアインダ１１、液晶パネル１２、スピーカ１４の電源及びミラーモードの切換えを自動的に制御できるので、電源の消し忘れを防ぐことができ、電力の無駄な消費を回避することができる。
【００４０】
なお上述の実施例においては、カメラ一体型ＶＴＲ１０において、液晶パネル１２の開閉状態及び反転状態に応じてビユーフアインダ１１、液晶パネル１２、スピーカ１４の電源及びミラーモードの切換えを自動的に制御する場合について述べたが、本発明はこれに限らず、液晶パネルが本体に開閉自在に取り付けられた電子手帳等の表示装置に適用し得る。
【００４１】
また上述の実施例においては、液晶パネル１２の開閉状態及び反転状態によつて、ビユーフアインダ１１、液晶パネル１２、スピーカ１４の電源及びミラーモードのオンオフを図４に示すように設定した場合について述べたが、本発明はこれに限らず、ビユーフアインダ１１、液晶パネル１２、スピーカ１４の電源及びミラーモードのオンオフの状態を液晶パネル１２の開閉状態及び反転状態によつて他の状態に設定するようにしてもよい。
【００４２】
また上述の実施例においては、液晶パネル１２の開閉状態によつて、ビユーフアインダ１１、液晶パネル１２、スピーカ１４の電源及びミラーモードの切換えを自動的に制御する場合について述べたが、本発明はこれに限らず、例えば液晶パネル１２の電源の切換えだけを、液晶パネル１２の開閉状態によつて自動的に制御してもよい。
【００４３】
また上述の実施例においては、液晶パネル１２を表示部１３の表面がカメラ一体型ＶＴＲ１０本体にほぼ垂直になるように開く場合について述べたが、本発明はこれに限らず、本体に対して他の角度になるように液晶パネル１２を開くようにしてもよい。
【００４４】
また上述の実施例においては、液晶パネル１２の反転状態として液晶パネル１２を  １８０°回転させた場合について述べたが、本発明はこれに限らず、液晶パネル１２の回転角を他の角度に設定してもよい。
【００４５】
【発明の効果】
上述のように本発明によれば、本体に開閉自在に取り付けられた表示パネルを有するカメラ一体型ビデオテープレコーダにおいて、表示パネルの開閉状態に応じて当該表示パネルへの電源の切換えを制御し、表示パネルの開閉状態及び表示パネルの回転角に応じてビユーフアインダへの電源及び又は音声出力部への電源の切換えを制御し、表示パネルが開状態でかつ所定角度回転されたとき、表示パネルに表示される映像が上下逆となるように表示する表示モードの切換えを制御する制御手段とを設けたことにより、表示パネル、ビユーフアインダ及び音声出力部に自動的に電源を投入することができると共に電力の無駄な消費を回避でき、かつ表示パネルに反転映像を表示することができ、かくして使い勝手を向上することができる。
【００４６】
また本発明によれば、本体に開閉自在に取り付けられた表示パネルを有するカメラ一体型ビデオテープレコーダに、表示パネルの開閉状態に応じて当該表示パネルに画像を表示し又は画像の表示を停止させる制御手段を設けることにより、表示パネルの電源の切換えを自動的に制御し得るので、カメラ一体型ＶＴＲの使い勝手を格段的に向上させることができる。
【図面の簡単な説明】
【図１】本発明の実施例によるカメラ一体型ＶＴＲの概略構成を示す略線的斜視図である。
【図２】実施例によるカメラ一体型ＶＴＲの使用状態の説明に供する略線的斜視図である。
【図３】実施例によるカメラ一体型ＶＴＲの概略的な回路構成を示す回路図である。
【図４】実施例によるカメラ一体型ＶＴＲでのビユーフアインダ、液晶パネル、スピーカの電源及びミラーモードのオンオフの設定状態の一例を示す図表である。
【図５】実施例によるカメラ一体型ＶＴＲのマイコンの動作（１）の説明に供するフローチヤートである。
【図６】実施例によるカメラ一体型ＶＴＲのマイコンの動作（２）の説明に供するフローチヤートである。
【図７】従来のカメラ一体型ＶＴＲの使用状態の説明に供する略線的斜視図である。
【符号の説明】
１、１０……カメラ一体型ＶＴＲ、２、１１……ビユーフアインダ、３、１２……液晶パネル、４、１３……表示部、１４……スピーカ、１５……マイクロコンピユータ、１６、１７、１８……スイツチ、１９……音声処理部。
【図１】
0003585057.tif 000002
【図３】
0003585057.tif 000003
【図２】
0003585057.tif 000004
【図４】
0003585057.tif 000005
【図５】
0003585057.tif 000006
【図６】
0003585057.tif 000007
【図７】
0003585057.tif 000008